(57)【要約】      （修正有）【課題】光源がオフされる場合、待機電源の持続的な上昇を防止して、ディスプレイ特性が向上したディスプレイ装置を提供する。【解決手段】本発明によるディスプレイ装置は、光源を含むディスプレイ装置において、前記光源に所定の駆動電源を供給する電源供給部１０と；前記電源供給部から出力される前記駆動電源を前記光源に供給する主電源経路２ａと；前記主電源経路から分岐して前記電源供給部に復帰する待機電源経路２ｂと；前記電源供給部から出力される前記駆動電源を前記主電源経路と前記待機電源経路のうちのいずれか一つに供給するスイッチング部３０と；前記待機電源経路に印加された待機電源を調節する待機電源調節部４０と；前記主電源経路に電源が印加されない場合、前記待機電源が所定の許容範囲内にあるように前記待機電源調節部を制御する制御部５０とを含む。【選択図】図１
2007096296.tif 000002
【特許請求の範囲】
【請求項１】
光源を含むディスプレイ装置において、
前記光源に所定の駆動電源を供給する電源供給部と；
前記電源供給部から出力される前記駆動電源を前記光源に供給する主電源経路と；
前記主電源経路から分岐して前記電源供給部に復帰する待機電源経路と；
前記電源供給部から出力される前記駆動電源を前記主電源経路と前記待機電源経路のうちのいずれか一つに供給するスイッチング部と；
前記待機電源経路に印加された待機電源を調節する待機電源調節部と；
前記主電源経路に電源が印加されない場合、前記待機電源が所定の許容範囲内にあるように前記待機電源調節部を制御する制御部とを含むことを特徴とするディスプレイ装置。
【請求項２】
前記待機電源調節部は、
前記主電源経路に電源が印加されない場合、前記電源供給部から出力される最小オンタイムパルスを遅延させるパルス遅延部と；
所定の演算過程を通じて前記最小オンタイムパルスおよび遅延された前記最小オンタイムパルスが前記待機電源経路に出力されることを遮断する遮断部とを含むことを特徴とする請求項１に記載のディスプレイ装置。
【請求項３】
前記パルス遅延部は、複数の抵抗およびキャパシタのうちの少なくともいずれか一つを含むことを特徴とする請求項２に記載のディスプレイ装置。
【請求項４】
前記待機電源調節部は、前記光源がオフされる場合、前記電源供給部から出力される最小オンタイムパルスの周波数を減少させることを特徴とする請求項１に記載のディスプレイ装置。
【請求項５】
前記待機電源調節部は、
並列に連結されている複数の抵抗と；
前記複数の抵抗のうちの少なくともいずれか一つに連結されているスイッチング素子とを含むことを特徴とする請求項４に記載のディスプレイ装置。
【請求項６】
前記待機電源調節部は、
前記待機電源が所定の指令値を超える場合、前記電源供給部をディセーブルさせることを特徴とする請求項１に記載のディスプレイ装置。
【請求項７】
前記制御部は、前記光源がオンされる場合には前記電源供給部から出力される前記駆動電源を前記主電源経路に供給し、前記光源がオフされる場合には前記駆動電源を前記待機電源経路に供給するように前記スイッチング部を制御することを特徴とする請求項１に記載のディスプレイ装置。
【請求項８】
前記制御部は、前記光源がオンされる場合には前記電源供給部から出力される前記駆動電源を前記主電源経路に供給するように前記スイッチング部をオフさせ、前記光源がオフされる場合には前記駆動電源を前記待機電源経路に供給するように前記スイッチング部をオンさせるためのＰＷＭ制御信号を前記スイッチング部に出力することを特徴とする請求項７に記載のディスプレイ装置。
【請求項９】
前記光源は発光ダイオードを含むことを特徴とする請求項１に記載のディスプレイ装置。
【発明の詳細な説明】
【技術分野】
【０００１】
本発明はディスプレイ装置に関するものであって、より詳しくは、所定の発光素子に印加される電流量を精密に制御することができるディスプレイ装置に関するものである。
【背景技術】
【０００２】
ディスプレイ装置は、より向上した色再現のために光源の素材として、従来のＣＣＦＬ（冷陰極蛍光ランプ）を用いる方式から、発光ダイオード（ＬＥＤ）を用いる方式に変化する傾向にある。このようにＬＥＤ素子を用いた光源を備えるディスプレイ装置は、ＬＥＤ光源を用いることによって色再現の性能が向上する。
【０００３】
このようなＬＥＤ光源を有する従来のディスプレイ装置は、ＬＥＤ光源を制御することにおいてリニア方式とスイッチング方式のうちのいずれか一つを利用する。
【０００４】
リニア方式を利用する場合、ＬＥＤ光源に供給するための電圧を発生する定電圧源と、前記定電圧源から供給される電圧による電流が前記ＬＥＤ光源に流れるようにスイッチングするスイッチング部と、前記スイッチング部をオン／オフさせるＰＷＭ発生部とを含む。リニア方式の場合、ノイズとリップルが小さいという長所があるが、前記ＬＥＤ光源に常にリニア領域の一電流を供給しなければならないので、前記ＬＥＤ光源の負荷電流量が大きい場合にリニア領域の一電流を持続的に供給するために前記スイッチング部で発生する電圧損失が大きくなるという短所がある。
【０００５】
スイッチング方式を利用する場合、ＬＥＤ光源に供給するための電流を発生する定電流源と、前記定電流源から供給される電流が前記ＬＥＤ光源に流れるようにスイッチングするスイッチング部と、スイッチング部をオン／オフさせるＰＷＭ発生部とを含む。従来のスイッチング方式を利用するＬＥＤ光源制御は、ＬＥＤ光源を点灯させるためのＰＷＭオン区間で前記ＬＥＤ光源に一電流が流れるようになり、ＬＥＤ光源を消灯させるためのＰＷＭオフ区間で前記ＬＥＤ光源に“０”電流が流れるようになる。ここで、ＰＷＭオン区間では、前記ＬＥＤに流れる電流の大きさに応じて前記スイッチング部がオン／オフされて、ＬＥＤ光源に流れる電流の大きさが微細に脈動し、平均的な一電流が流れるようになる。
【０００６】
従来のスイッチング方式による電源供給の場合、電圧損失が小さいという長所があるが、スイッチング素子の特性によってスイッチングのオン／オフ区間での電流調節に困難がある。このようなスイッチングのオン／オフ時の電流調節の困難はディスプレイ装置のディスプレイ特性を低下させる要因になる。
【発明の開示】
【発明が解決しようとする課題】
【０００７】
したがって、本発明の目的は、光源がオフされる場合、待機電源の持続的な上昇を防止して、ディスプレイ特性が向上したディスプレイ装置を提供することにある。
【課題を解決するための手段】
【０００８】
前記目的は、本発明によって、光源を含むディスプレイ装置において、前記光源に所定の駆動電源を供給する電源供給部と；前記電源供給部から出力される前記駆動電源を前記光源に供給する主電源経路と；前記主電源経路から分岐して前記電源供給部に復帰する待機電源経路と；前記電源供給部から出力される前記駆動電源を前記主電源経路と前記待機電源経路のうちのいずれか一つに供給するスイッチング部と；前記待機電源経路に印加された待機電源を調節する待機電源調節部と；前記主電源経路に電源が印加されない場合、前記待機電源が所定の許容範囲内にあるように前記待機電源調節部を制御する制御部と；を含むディスプレイ装置によって達成される。
【０００９】
前記待機電源調節部は、前記主電源経路に電源が印加されない場合、前記電源供給部から出力される最小オンタイムパルスを遅延させるパルス遅延部と；所定の演算過程を通じて前記最小オンタイムパルスおよび遅延された前記最小オンタイムパルスが前記待機電源経路に出力されることを遮断する遮断部とを含むことができる。
【００１０】
前記パルス遅延部は、複数の抵抗およびキャパシタのうちの少なくともいずれか一つを含むことができ、抵抗値を調節してパルス遅延程度を決定する。
【００１１】
前記待機電源調節部は、前記光源がオフされる場合、前記電源供給部から出力される最小オンタイムパルスの周波数を減少させることができ、この場合、前記待機電源調節部は、並列に連結されている複数の抵抗と；前記複数の抵抗のうちの少なくともいずれか一つに連結されているスイッチング素子とを含むのが好ましい。
【００１２】
前記待機電源調節部は、前記待機電源が所定の指令値を超える場合、前記電源供給部をディセーブルさせることも可能である。
【００１３】
前記制御部は、前記光源がオンされる場合には前記電源供給部から出力される前記駆動電源を前記主電源経路に供給し、前記光源がオフされる場合には前記駆動電源を前記待機電源経路に供給するように前記スイッチング部を制御するのが好ましい。
【００１４】
より具体的に説明すると、前記制御部は、前記光源がオンされる場合には前記電源供給部から出力される前記駆動電源を前記主電源経路に供給するように前記スイッチング部をオフさせ、前記光源がオフされる場合には前記駆動電源を前記待機電源経路に供給するように前記スイッチング部をオンさせるためのＰＷＭ制御信号を前記スイッチング部に出力するのが好ましい。
【００１５】
前記光源は複数の発光ダイオードを含むことができる。
【発明の効果】
【００１６】
本発明によれば、光源がオフされる場合、待機電源の持続的な上昇を防止して、ディスプレイ特性が向上したディスプレイ装置が提供される。
【発明を実施するための最良の形態】
【００１７】
以下、添付図面を参照して本発明について説明する。
【００１８】
本発明の第１実施形態によるディスプレイ装置は図１および図２を参照して説明される。図１は本発明の第１実施形態によるディスプレイ装置の概略図であり、図２は本発明の第１実施形態によるパルス波形の例示図を示した図である。
【００１９】
図１に示されているように、本実施形態によるディスプレイ装置は、ＬＥＤ光源２０と、所定の駆動電源を出力する電源供給部１０と、電源供給部１０から出力される前記駆動電源をＬＥＤ光源２０に供給する主電源経路２ａと、ＬＥＤ光源２０に供給される前記駆動電源を横取りする待機電源経路２ｂと、電源供給部１０から出力される前記駆動電源を主電源経路２ａと待機電源経路２ｂのうちのいずれか一つに供給するスイッチング部３０と、待機電源経路２ｂに流れる待機電源を調節する待機電源調節部４０と、ＬＥＤ光源２０のオン動作遂行時に電源供給部１０から出力される前記駆動電源を主電源経路２ａに供給し、ＬＥＤ光源２０のオフ動作遂行時に前記駆動電源を待機電源経路２ｂに供給するようにスイッチング部３０を制御する制御部５０とを含む。
【００２０】
ＬＥＤ光源２０は、映像をディスプレイするためのディスプレイ部（図示せず）に光を提供する機能を果たし、光源は発光ダイオードであるのが好ましいが、これに限定されない。ＬＥＤ光源２０は複数のＬＥＤ素子を含むことも可能である。
【００２１】
電源供給部１０はＬＥＤ光源２０に所定の駆動電源を提供する機能を遂行する。本実施形態による電源供給部１０は電流を発生する電流電源であるのが好ましい。このような電源供給部１０は、ＬＥＤ光源２０によって決定される電源（ＶＦ）を発生するための電源（Ｖｓ）と、ＬＥＤ光源２０の明るさを所定の指令値に合わせて維持させるために電流の流れを制御するＰＷＭ発生部１４と、電源（Ｖｓ）からＬＥＤ光源２０に供給される電流の流れを断続する電流維持スイッチング部１２とを含む。
【００２２】
電源供給部１０とスイッチング部３０の間にはインダクタ（Ｌ）、電流感知用抵抗（Ｒｓ）およびダイオード（Ｄ）が設けられる。インダクタ（Ｌ）は主電源経路２ａおよび待機電源経路２ｂが分岐される地点と電流維持スイッチング部１２の間に設けられ、電流感知用抵抗（Ｒｓ）は主電源経路２ａおよび待機電源経路２ｂが合一される地点と電源（Ｖｓ）の間に設けられ、ダイオード（Ｄ）は電流感知用抵抗（Ｒｓ）と電源（Ｖｓ）の間にアノード端が連結され、電流維持スイッチング１２とインダクタ（Ｌ）の間にカソード端が連結される。本実施形態では待機電源調節部４０を電流維持スイッチング部１２の出力端に配列するためにインダクタ（Ｌ）、電流感知用抵抗（Ｒｓ）およびダイオード（Ｄ）が電源供給部１０に含まれないと説明されるが、一般に光源２０に電源を供給する電源供給部１０はインダクタ（Ｌ）、電流感知用抵抗（Ｒｓ）およびダイオード（Ｄ）を含む。つまり、電源供給部１０の構成要素は本実施形態に限定されない。
【００２３】
電流維持スイッチング部１２は、電源（Ｖｓ）からＬＥＤ光源２０に提供するための電流の流れを断続する役割を果たし、ＰＷＭ発生部１４からのＰＷＭ制御によってオン／オフされる金属酸化膜シリコン電界効果トランジスター（ＭＯＳＦＥＴ）で設けられるのが好ましい。
【００２４】
ＰＷＭ発生部１４は、電流維持スイッチング部１２をＰＷＭ制御して、電源供給部１０がＬＥＤ光源２０の明るさを所定の指令値に合わせて維持させることができる一定の駆動電源を出力するようにする。このような、ＰＷＭ発生部１４は、ディスプレイ装置の駆動初期に制御部５０からＬＥＤ光源２０の点灯制御信号（前記所定の指令値）を受信し、これによって電流維持スイッチング部１２をオンさせる。その後、ＰＷＭ発生部１４は、電流感知用抵抗（Ｒｓ）にかかる比較電圧を検出し、前記検出した比較電圧と前記所定の指令値を比較して主電源経路２ａと待機電源経路２ｂのうちのいずれか一つの経路に流れる電流の大きさが所定の電流値以上であるか否かを判断する。これによって、ＰＷＭ発生部１４は、前記検出した比較電圧が前記所定の指令値以上である場合、電流維持スイッチング部１２をオフさせる。電流維持スイッチング部１２をオフさせた後、所定の周期時間が経過すると、ＰＷＭ発生部１４は電流維持スイッチング部１２をオンさせる。このように、ＰＷＭ発生部１２は、ディスプレイ装置の駆動初期に制御部５０の制御によって電流維持スイッチング部１２をオンさせ、電流感知用抵抗（Ｒｓ）にかかる比較電圧と前記所定の指令値の比較結果および所定の周期時間に基づいて、電流維持スイッチング部１２を反復的にオン／オフ制御する。これによって、電源供給部１０は、ディスプレイ装置が駆動状態であれば、ＬＥＤ光源２０のオン動作／オフ動作に関係なく一定の駆動電源を維持して出力することができる。
【００２５】
もちろん、ディスプレイ装置の駆動がオフされる場合、ＰＷＭ発生部１４は制御部５０の制御によってディセーブルされて、電源供給部１０は駆動電源を出力しないのが好ましい。
【００２６】
スイッチング部３０は、電源供給部１０から出力される前記駆動電源を主電源経路２ａと待機電源経路２ｂのうちのいずれか一つに供給する役割を果たす。このようなスイッチング部３０は待機電源経路２ｂに設けられ、制御部５０からのＰＷＭ制御信号によってオン／オフされて、電源供給部１０からＬＥＤ光源２０に提供される前記駆動電源を横取りする金属酸化膜シリコン電界効果トランジスター（ＭＯＳＦＥＴ）で設けられるのが好ましい。
【００２７】
ここで、まず、図２の（ａ）乃至（ｄ）を参照してＬＥＤ光源２０のオン／オフ時の電源供給に対する制御方法を説明する。図２の（ａ）は制御部５０からスイッチング部３０に印加するスイッチ制御信号であり、（ｂ）はスイッチング制御信号によってＬＥＤ光源２０がオン／オフされることを示す図であり、（ｃ）はインダクタ（Ｌ）に印加される電流を示す図である。
【００２８】
まず、ディスプレイ装置の電源キー（図示せず）が入力されてディスプレイ装置の駆動が始まると、制御部５０は所定指令値に応じた駆動電流を出力するように電源供給部１０を制御する。このような前記駆動電流の出力は、ＰＷＭ発生部１４が制御部５０から点灯制御信号（前記所定の指令値）を受信し、これによって電流維持スイッチング部１２をオンさせることから始まる。ここで、ＬＥＤ光源２０のオン動作／オフ動作が遂行される場合を例に挙げて説明すると、次の通りである。例えば、現在ディスプレイしようとする映像にＢ（ブルー）のみ必要でない場合、Ｒ（レッド）、Ｇ（グリーン）、Ｂ（ブルー）を表現するそれぞれのＬＥＤ光源のうちのＲ、Ｇに該当するＬＥＤ光源はオン動作が遂行されてＲ、Ｇに該当するＬＥＤ光源には駆動電流が供給され、Ｂに該当するＬＥＤ光源はオフ動作が遂行されてＢに該当するＬＥＤ光源には駆動電流が供給されない。このようにＬＥＤ光源２０のオフ動作が遂行される場合は、しばらくの間だけＬＥＤ光源２０が消灯される場合をいう。図２に示された波形は、ディスプレイ装置の駆動が始まった後、ＬＥＤ光源２０のうちのいずれか一つがオンされてから、しばらくの間消灯された後、再びオンされる状態を示したものである。
【００２９】
制御部５０は、ＬＥＤ光源２０に電流（ｉＬＥＤ）が流れる間（〜ｔ１、ｔ３〜）、スイッチング部３０をオフさせるためのＰＷＭ制御信号を出力する。これによって、電源（Ｖｓ）から出力される駆動電流は、電流維持スイッチング部１２を通じてインダクタ（Ｌ）に充電されながら主電源経路２ａに設けられたＬＥＤ光源２０に提供され、電流感知用抵抗（Ｒｓ）を経て再び電源供給部１０に伝達される経路３ａを通じて流れるようになる（Ｖｓ→Ｌ→ＬＥＤ光源２０→Ｒｓ→Ｖｓ）。
【００３０】
その後、ＰＷＭ発生部１４は電流感知用抵抗（Ｒｓ）にかかる比較電圧を検出し、前記検出した比較電圧と前記所定の指令値を比較する。前記比較結果、前記検出した比較電圧が前記所定の指令値以上である場合、ＰＷＭ発生部１４はＬＥＤ光源２０に流れる駆動電流の大きさが所定の電流値（ｉｃ）以上であると判断し、電流維持スイッチング部１２をオフさせる。これによって、インダクタ（Ｌ）に充電された電流が、主電源経路２ａを通じてＬＥＤ光源２０に提供され、電流感知用抵抗（Ｒｓ）を経てダイオード（Ｄ）に流れるようになる（３ｂ）（Ｌ→ＬＥＤ光源２０→Ｒｓ→Ｄ→Ｌ）。
【００３１】
このように、ＰＷＭ発生部１２は、電流感知用抵抗（Ｒｓ）にかかる比較電圧と前記所定の指令値の比較結果および所定の周期時間に基づいて、電流維持スイッチング部１２を反復的にオン／オフ制御する。これによって、インダクタ（Ｌ）およびＬＥＤ光源２０に流れる電流は、ｉｃ電流とｉｂ電流の平均値であるｉａの大きさを維持するようになる。
【００３２】
ここで、ＬＥＤ光源２０のオフ動作が遂行（ｔ１時刻）されると、制御部５０は図２の（ａ）に示されているようにスイッチング部３０をオンさせるためのＰＷＭ制御信号を出力する。この時、ｔ１時間にＬＥＤ光源２０に流れる電流の大きさが所定の電流値（ｉｃ）に到達した状態であるので、ＰＷＭ発生部１４は電流維持スイッチング部１２をオフさせる。これによって、ｔ１時刻からは、インダクタ（Ｌ）に充電された電流が待機電源経路２ｂに設けられたスイッチング部３０を通じて電流感知用抵抗（Ｒｓ）を経てダイオード（Ｄ）に流れるようになる（３ｂ）（Ｌ→スイッチング部３０→Ｒｓ→Ｄ→Ｌ）。これによって、ＬＥＤ光源２０に流れる電流（図２の（ｂ）参照）はｔ１時刻から次第に小さくなり、ＬＥＤ光源２０に流れる電流（図２の（ｂ）参照）はｔ２時刻に直ちに遮断されて“０”になる。このように、ＬＥＤ光源２０のオフ動作時、ＬＥＤ光源２０のオフ応答速度が短くなる。
【００３３】
ＰＷＭ発生部１４は電流維持スイッチング部１２をオフさせた後、所定の周期時間が経過すると、電流維持スイッチング部１２を再びオンさせる。これによって、電源（Ｖｓ）から出力される駆動電流は、電流維持スイッチング部１２を通じてインダクタ（Ｌ）に充電されながら、待機電源経路２ｂのスイッチング部３０を通じて電流感知用抵抗（Ｒｓ）を経て電源供給部１０に連結される経路３ａを通じて流れるようになる（Ｖｓ→Ｌ→スイッチング部３０→Ｒｓ→Ｖｓ）。
【００３４】
このように、ＬＥＤ光源２０のオフ動作時にも、ＰＷＭ発生部１２は、電流感知用抵抗（Ｒｓ）にかかる比較電圧と前記所定の指令値の比較結果および所定の周期時間に基づいて、電流維持スイッチング部１２を反復的にオン／オフ制御する。
【００３５】
図２の（ｄ）のように一般的に商用化されているＰＷＭ発生部１４は電源発生のためのパルスを発生させる前に最小オンタイムパルス（ｍｉｎｉｍｕｍ  ｏｎーｔｉｍｅ  ｐｕｌｓｅ；Ｓ０）を出力する固有の性質がある。したがって、最小オンタイムパルス（Ｓ０）が発生する毎瞬間ごとに残余電流が流れるようになる。ＬＥＤ光源２０がオフであるオフ区間（ＩＩ）が長ければ長いほど最小オンタイムパルス（Ｓ０）による残余電流が累積されて、インダクタ（Ｌ）には次第に多量の電流が貯蔵される（図２の（ｃ）参照）。このような過剰電流によってＬＥＤ光源２０がオフの状態からオンされるオン区間（ＩＩＩ）でインダクタ（Ｌ）は既に所定の電流でない超過電流をＬＥＤ光源２０に供給するようになる。つまり、ＬＥＤ光源２０のオン動作が再び遂行されるｔ３時刻以後（ＩＩＩ）ＬＥＤ光源２０に印加される電流は次第に上昇するようになる（図２の（ｂ）参照）。このような現象はディスプレイ装置が駆動される間に連続的に繰り返されて、結局ＬＥＤ光源２０に適切な電源が印加されない問題点を引き起こす。
【００３６】
待機電源調節部４０は、光源がオフされる場合、つまり、主電源経路２ａに電源が印加されない場合、制御部５０の制御によって待機電源経路２ｂに流れる電源を調節する。前述のように、ＰＷＭ発生部１４によってディスプレイ装置が駆動状態であれば、ＬＥＤ光源２０のオン動作／オフ動作に関係なく一定の駆動電源が維持される。つまり、ＬＥＤ光源２０がオフされる場合にも、ＬＥＤ光源２０がオンされる場合に備えて、待機電源経路２ｂに電源が印加されており、残余電流によってインダクタ（Ｌ）に貯蔵されている電流が上昇する問題点がある。
【００３７】
したがって、本実施形態によるディスプレイ装置は電流維持スイッチング部１２の出力端に待機電源調節部４０を含む。待機電源調節部４０は残余電流を発生させる最小オンタイムパルス（Ｓ０）を除去または最少化するためのものであり、最小オンタイムパルス（Ｓ０）を遅延させて遅延残余電流を出力するパルス遅延部４３および待機電源経路２ｂにいかなる電流も出力されないようにする遮断部４４を含む。
【００３８】
パルス遅延部４３は抵抗（Ｒ１:４１）およびキャパシタ（Ｃ１:４２）を含み、このような抵抗成分は電源供給部１０から出力される最小オンタイムパルス（Ｓ０）を遅延させる。図２の（ｅ）は遅延された最小オンタイムパルス（Ｓ１）を示したもので、ＬＥＤ光源２０がオフされる場合に発生する最小オンタイムパルス（Ｓ０）を所定の時間だけ遅延させる。最小オンタイムパルス（Ｓ０）が遅延する遅延時間は１／Ｒ１＊Ｃ１であり、抵抗（Ｒ１）の抵抗値またはキャパシタ（Ｃ１）のキャパシタンスが増加するほど遅延時間は減少し、抵抗値またはキャパシタンスが減少するほど遅延時間は増加する。このように抵抗４１の抵抗値またはキャパシタ４２のキャパシタンスを調節して最小オンタイムパルス（Ｓ０）を遅延させ、これは最小オンタイムパルス（Ｓ０）によって発生する残余電流を遅延させる結果をもたらす。抵抗４１およびキャパシタ４２の個数は複数個設けられることができ、個数に対する制限はない。
【００３９】
遮断部４４は元の最小オンタイムパルス（Ｓ０）および遅延された最小オンタイムパルス（Ｓ１）を入力として所定の演算を行う。図２の（ｅ）のように最小オンタイムパルス（Ｓ０）と遅延された最小オンタイムパルス（Ｓ１）は所定の区間で重ねられる。この時重ねられる部分を限界値（Ｔ）と設定し、限界値（Ｔ）以上の値は“１”と、以下の値は“０”と設定する。入力される二つの値をアンドゲート（ＡＮＤ  ＧＡＴＥ）演算すれば、出力値は常に“０”になって、待機電源経路２ｂにいかなる信号も出力されないようになる。したがって、本実施形態による遮断部４４は入力値で演算を遂行することができる演算素子であるのが好ましく、特にアンドゲート演算素子であることができる。最小オンタイムパルスを遅延させる時間および前記限界値（Ｔ）はＰＷＭ発生部１４の性質によって設定される値であり、これに対する制御信号は制御部５０から出力されることもでき、待機電源調節部４０自体的に予め設定されていることも可能である。
【００４０】
最終的に、図２の（ｆ）のようにＬＥＤ光源２０がオフである区間では待機電源調節部４０からはいかなるパルス信号も発生しない。
【００４１】
本実施形態による待機電源調節部４０は前述のパルス遅延部４３およびアンドゲート演算素子のような一般ロジックに限定されるものではなく、プログラム可能なロジック素子も待機電源調節部４０として使用されることができる。
【００４２】
制御部５０はディスプレイ装置の電源キー（図示せず）が入力されると、ディスプレイ装置の駆動が始まるようにディスプレイ装置内の各回路部（図示せず）を制御すると同時に、ＬＥＤ光源２０の点灯制御信号（前記所定の指令値）をＰＷＭ発生部１４に出力する。
【００４３】
また、制御部５０は、ＬＥＤ光源２０のオン動作が行われると電源供給部１０から出力される前記駆動電源を主電源経路２ａに供給し、ＬＥＤ光源２０のオフ動作が行われると前記駆動電源を待機電源経路２ｂに供給するようにスイッチング部３０を制御するためのＰＷＭ制御信号を出力する。つまり、制御部５０はＬＥＤ光源２０のオン動作遂行時には電源供給部１０から出力される前記駆動電源をＬＥＤ光源２０に供給するようにスイッチング部３０をオフさせ、ＬＥＤ光源２０のオフ動作遂行時にはＬＥＤ光源２０に供給されている前記駆動電源が待機電源経路２ｂに供給されるようにスイッチング部３０をオンさせる。
【００４４】
また、制御部５０はＬＥＤ光源２０のオン／オフによって待機電源調節部４０を制御して、インダクタ（Ｌ）に印加される待機電流を所定の許容範囲内にあるように、言い換えればｉｃ電流とｉｂ電流の間にあるようにする。
【００４５】
以下、図３および図４を参照して本発明の第２実施形態によるディスプレイ装置が説明される。図３はディスプレイ装置の制御ブロック図であり、図４は電流パルス波形の例示図を示す。図示されているように、待機電源調節部６０を除いた残りの構成は第１実施形態のディスプレイ装置と同一である。同一な構成要素に関する重複した説明は省略する。
【００４６】
本実施形態による待機電源調節部６０は、ＬＥＤ光源２０がオフされる場合、つまり、主電源経路２ａに電源が供給されない場合、電源供給部１０から出力される最小オンタイムパルス（Ｓ０）の周波数を減少させる。このために、待機電源調節部６０は並列に連結されている複数の抵抗（Ｒ２、Ｒ３、Ｒ４）および複数の抵抗（Ｒ２、Ｒ３、Ｒ４）のうちの少なくとも一つに連結されているスイッチング素子（Ｓ１、Ｓ２）を含む。
【００４７】
これは第１実施形態のパルス遅延部４３の原理と類似したものであって、電流維持スイッチング部１２に抵抗成分を並列に連結して、電流維持スイッチング部１２から出力される最小オンタイムパルス（Ｓ０）の性質を変更させる。
【００４８】
ターンオンされるスイッチング素子（Ｓ１、Ｓ２）が多いほど多数の抵抗が並列に連結されるので全体的な抵抗値が減少する。抵抗値が減少するほど抵抗値と逆数関係にあるパルスの周期が大きくなり、これによって最小オンタイムパルス（Ｓ０）の周波数は減少する。図４の（ａ）は図２の（ｄ）のように待機電源調節部６０が設けられない時の最小オンタイムパルス（Ｓ０）を示しており、（ｂ）はスイッチング素子（Ｓ１、Ｓ２）によって周波数が小さくなった最小オンタイムパルス（Ｓ３）、つまり、待機電源調節部６０から出力されるパルスを示す。ＬＥＤ光源２０がオフである区間でＰＷＭ発生部１４による最小オンタイムパルス（Ｓ０）が半分に減ったことが分かる。このような波形は例示的なものであって、並列に連結されている抵抗の個数を増加させて最小オンタイムパルス（Ｓ０）の周波数をはるかに減少させると、ＬＥＤ光源２０がオフである区間で最小オンタイムパルス（Ｓ０）を全く遮断することもできる。
【００４９】
複数の抵抗（Ｒ２、Ｒ３、Ｒ４）およびこれに連結されているスイッチング素子（Ｓ１、Ｓ２）の個数は多様な個数で設けられることができ、オンされるスイッチング素子（Ｓ１、Ｓ２）の個数は制御部５０の制御を受ける。制御部５０は、ＬＥＤ光源２０がオフされている間、最小オンタイムパルス（Ｓ０）によって発生した残余電流および残余電流によってインダクタ（Ｌ）に累積される電流量を感知して、適切な数のスイッチング素子（Ｓ１、Ｓ２）をターンオンさせる。
【００５０】
図５は本発明の第３実施形態によるディスプレイ装置の制御ブロック図である。図示されているように、本実施形態による待機電源調節部７０は電源供給部１０と制御部５０に設けられ、他の実施形態で電源供給部１０とスイッチング部３０の間に設けられるものと相違している。
【００５１】
本実施形態による待機電源調節部７０は制御部５０の制御によってＰＷＭ発生部１４をディセーブルさせる信号を発生させる。さらに具体的に説明すれば、制御部５０は電流感知用抵抗（Ｒｓ）に流れる電流量を検出して、この電流量が所定の許容範囲内にあるか否かを判断する。判断結果、所定の範囲内にある場合、待機電源調節部７０に何らの制御信号も印加しない。したがって、ＰＷＭ発生部１４の動作は相変わらず行われる。反面、判断結果、電流量が所定の範囲を外れる場合、制御部５０は待機電源調節部７０を制御するようになり、待機電源調節部７０はＰＷＭ発生部１４をディセーブルさせる信号を発生させる。制御部５０は持続的に電流量を検出、判断して、待機電源調節部７０に制御信号を印加する。
【００５２】
このような待機電源調節部７０としてはサージ状態バッファのような素子が用いられることができ、ＰＷＭ発生部１４に入力される電流量が所定のサージ状態に至ると、アクティブハイになって、ＰＷＭ発生部１４自体をディセーブルさせることができる。
【００５３】
他の実施形態によれば、待機電源調節部７０を別途に設けず、制御部５０が直接ＰＷＭ発生部１４にディセーブル信号を印加するように設定されることもでき、前述の信号制御がプログラムされている特定ロジックを利用することもできる。
【００５４】
たとえ本発明のいくつかの実施形態が図示されて説明されたが、本発明の属する技術分野における通常の知識を有する当業者であれば、本発明の原則や精神から外れずに、最小オンタイムパルスによって発生するインダクタの電流上昇を防止する本実施形態を変形できることが分かる。発明の範囲は添付された請求項とその均等物によって決められる。
【図面の簡単な説明】
【００５５】
【図１】本発明の第１実施形態によるディスプレイ装置の概略図である。
【図２】本発明の第１実施形態によるパルス波形の例示図である。
【図３】本発明の第２実施形態によるディスプレイ装置の制御ブロック図である。
【図４】本発明の第２実施形態によるパルス波形の例示図である。
【図５】本発明の第３実施形態によるディスプレイ装置の制御ブロック図である。
【符号の説明】
【００５６】
２ａ  主電源経路
２ｂ  待機電源経路
１０  電源供給部
１２  電流維持スイッチング部
１４  ＰＷＭ発生部
２０  ＬＥＤ光源
３０  スイッチング部
４０、６０、７０  待機電源調節部
４３  パルス遅延部
５０  制御部
【図１】
2007096296.tif 000003
【図２】
2007096296.tif 000004
【図３】
2007096296.tif 000005
【図４】
2007096296.tif 000006
【図５】
2007096296.tif 000007